(57)【要約】【課題】複数の階調について駆動電流の誤差を抑制する。【解決手段】画素回路Ｕは、相互に直列に接続された発光素子Ｅおよび駆動トランジスタＴDRと、駆動トランジスタＴDRのゲートとソースとの間に介在する保持容量ＣSTとを含む。発光素子Ｅには容量ＣEが付随する。駆動回路３０は、電位ＶXの時間変化率ＲXが経時的に変化する駆動信号Ｘを駆動トランジスタＴDRのゲートに供給し、当該画素回路Ｕに指定された階調Ｄに応じて可変に設定された時点で駆動信号Ｘの供給を停止する。保持容量ＣSTの両端間の電圧ＶGSに応じた駆動電流ＩDRが発光素子Ｅに供給される。【選択図】図４
2010079157.tif 000002
【特許請求の範囲】
【請求項１】
相互に直列に接続された発光素子および駆動トランジスタと、前記発光素子と前記駆動トランジスタとの間の経路と前記駆動トランジスタのゲートとの間に介在する保持容量とを含む画素回路を駆動する方法であって、
電位の時間変化率が経時的に変化する駆動信号を前記駆動トランジスタのゲートに供給し、
当該画素回路に指定された階調に応じて可変に設定された時点で前記駆動信号の供給を停止し、
前記保持容量の両端間の電圧に応じた駆動電流を前記発光素子に供給する
画素回路の駆動方法。
【請求項２】
電位の時間変化率が経時的に増加する前記駆動信号を前記駆動トランジスタのゲートに供給し、
前記画素回路に第１階調が指定された場合に、前記第１階調よりも低い第２階調が指定された場合よりも遅い時点にて前記駆動信号の供給を停止する
請求項１の画素回路の駆動方法。
【請求項３】
前記駆動信号の電位の時間変化率の変化率が経時的に増加する
請求項２の画素回路の駆動方法。
【請求項４】
電位の時間変化率が経時的に減少する前記駆動信号を前記駆動トランジスタのゲートに供給し、
前記画素回路に第１階調が指定された場合に、前記第１階調よりも低い第２階調が指定された場合よりも早い時点にて前記駆動信号の供給を停止する
請求項１の画素回路の駆動方法
【請求項５】
前記保持容量の両端間の電圧を初期化する
請求項１から請求項４の何れかの画素回路の駆動方法。
【請求項６】
前記駆動信号を前記駆動トランジスタのゲートに供給し、高階調に対応した時点にて前記駆動信号の供給を停止することで、前記保持容量の両端間の電圧を初期化する
請求項５の画素回路の駆動方法。
【請求項７】
前記駆動信号の供給前に、当該駆動信号の供給用の信号線から前記駆動トランジスタのゲートに基準電位を供給するとともに前記駆動トランジスタのソースに所定の電位を供給することで前記保持容量の両端間の電圧を初期化する
請求項５の画素回路の駆動方法。
【請求項８】
前記駆動信号の供給前に、前記駆動トランジスタのゲートに基準電位を供給するとともに前記駆動トランジスタをオン状態に制御することで、前記保持容量の両端間の電圧を前記駆動トランジスタの閾値電圧に漸近させる
請求項１から請求項４の何れかの画素回路の駆動方法。
【請求項９】
相互に直列に接続された発光素子および駆動トランジスタと、前記発光素子と前記駆動トランジスタとの間の経路と前記駆動トランジスタのゲートとの間に介在する保持容量と、前記駆動トランジスタのゲートと信号線との間に介在する制御スイッチとを含む画素回路と、
電位の時間変化率が経時的に変化する駆動信号を前記信号線に供給する一方、前記制御スイッチをオン状態に制御することで前記駆動トランジスタのゲートに前記駆動信号を供給し、前記画素回路に指定された階調に応じて可変に設定された時点で前記制御スイッチをオフ状態に制御する駆動回路と
を具備する発光装置。
【請求項１０】
前記駆動回路は、前記駆動信号の電位の時間変化率を経時的に増加させ、前記画素回路に第１階調が指定された場合に、前記第１階調よりも低い第２階調が指定された場合よりも遅い時点で前記制御スイッチをオフ状態に制御する
請求項９の発光装置。
【請求項１１】
前記駆動回路は、前記駆動信号の電位の時間変化率を経時的に減少させ、前記画素回路に第１階調が指定された場合に、前記第１階調よりも低い第２階調が指定された場合よりも早い時点で前記制御スイッチをオフ状態に制御する
請求項９の発光装置。
【請求項１２】
複数の走査線と複数の信号線との各交差に対応して複数の画素回路が配列された素子部であって、相互に直列に接続された発光素子および駆動トランジスタと、前記発光素子と前記駆動トランジスタとの間の経路と前記駆動トランジスタのゲートとの間に介在する保持容量と、前記駆動トランジスタのゲートと前記信号線との間に介在する制御スイッチと、前記駆動トランジスタのゲートと前記信号線との間に介在して前記走査線の選択時に導通する選択スイッチとを、前記複数の画素回路の各々が含む素子部と、
前記複数の走査線の各々を単位期間毎に順次に選択し、電位の時間変化率が前記各単位期間内で経時的に変化する駆動信号を前記各信号線に供給する一方、前記走査線を選択する単位期間内において、当該走査線に対応する前記各画素回路の前記制御スイッチをオン状態に制御し、当該画素回路に指定された階調に応じて可変に設定された時点で前記制御スイッチをオフ状態に制御する駆動回路と
を具備する発光装置。
【請求項１３】
前記駆動回路は、前記複数の信号線の各々に共通の前記駆動信号を供給する
請求項１２の発光装置。
【請求項１４】
前記信号線に対応する２以上の画素回路の前記制御スイッチを制御するための制御線を具備し、
前記制御線および前記信号線は、前記走査線の延在の方向とは交差する方向に延在する
請求項１２または請求項１３の発光装置。
【請求項１５】
前記駆動回路は、前記複数の走査線のうち一の走査線を選択する単位期間の開始前の２以上の単位期間において、当該一の走査線に対応する各画素回路の前記駆動トランジスタのゲートに給電線から基準電位を供給するとともに当該駆動トランジスタをオン状態に制御することで、前記保持容量の両端間の電圧を前記駆動トランジスタの閾値電圧に漸近させる
請求項１２から請求項１４の何れかの発光装置。
【請求項１６】
請求項９から請求項１５の何れかの発光装置を具備する電子機器。
【発明の詳細な説明】
【技術分野】
【０００１】
本発明は、有機ＥＬ（Electroluminescence）素子などの発光素子を駆動する技術に関する。
【背景技術】
【０００２】
発光素子に供給される駆動電流を駆動トランジスタが制御する発光装置においては、駆動トランジスタの電気的な特性の誤差（目標値からの相違や各素子間のバラツキ）が問題となる。特許文献１には、駆動トランジスタのゲート−ソース間の電圧を駆動トランジスタの閾値電圧に設定してから階調に応じた電圧に変化させることで、駆動トランジスタの閾値電圧および移動度の誤差（ひいては駆動電流の電流量の誤差）を補償する技術が開示されている。
【特許文献１】特開２００７−３１０３１１号公報
【発明の開示】
【発明が解決しようとする課題】
【０００３】
しかし、特許文献１の技術で駆動電流の誤差が有効に補償されるのは特定の階調が指定された場合に限定され、階調によっては駆動電流の誤差を解消できない場合がある。以上の事情に鑑みて、本発明は、複数の階調について駆動電流の誤差を抑制することを目的とする。
【課題を解決するための手段】
【０００４】
以上の課題を解決するために、本発明に係る画素回路の駆動方法は、相互に直列に接続された発光素子および駆動トランジスタと、発光素子と駆動トランジスタとの間の経路と駆動トランジスタのゲートとの間に介在する保持容量とを含む画素回路を駆動する方法であって、電位の時間変化率が経時的に変化する駆動信号を駆動トランジスタのゲートに供給し、当該画素回路に指定された階調に応じて可変に設定された時点で駆動信号の供給を停止し、保持容量の両端間の電圧に応じた駆動電流を発光素子に供給する。
【０００５】
駆動トランジスタのゲートに駆動信号を供給すると、駆動信号の電位の時間変化率に応じた電流（駆動トランジスタの閾値電圧や移動度に依存しない電流）が駆動トランジスタに流れる。保持容量の両端間の電圧は、駆動信号の供給が停止した時点における電位の時間変化率に応じた電流を駆動トランジスタに流すための電圧に設定される。駆動信号の電位の時間変化率は経時的に変化し、かつ、駆動信号の供給を停止する時点は画素回路の階調に応じて可変に制御されるから、駆動信号の供給が停止した時点における電位の時間変化率は画素回路の階調に応じて可変に設定される。すなわち、画素回路の階調に応じた電流（駆動トランジスタの閾値電圧や移動度に依存しない電流）を駆動トランジスタに流すための電圧が保持容量に保持される。したがって、保持容量の両端間の電圧に応じて発光素子に供給される駆動電流は、駆動トランジスタの閾値電圧や移動度に依存しない電流量に設定される。なお、電位の時間変化率とは、電位が時間の経過とともに変化する割合を意味し、時間軸に対する電位の勾配や電位の時間微分値と同義である。
【０００６】
本発明の好適な態様において、電位の時間変化率が経時的に増加する駆動信号を駆動トランジスタのゲートに供給し、画素回路に第１階調（例えば図６の階調ＤH）が指定された場合に、第１階調よりも低い第２階調（例えば図６の階調ＤL）が指定された場合よりも遅い時点にて駆動信号の供給を停止する。さらに詳述すると、例えば、駆動信号の時間変化率が高いほど平衡状態に到達するまでの時間が短いという傾向と整合するように、駆動信号の電位の時間変化率の変化率（すなわち、駆動信号の電位の２階微分値）が経時的に増加する構成が格別に好適である。また、電位の時間変化率が経時的に減少する駆動信号を駆動トランジスタのゲートに供給し、画素回路に第１階調が指定された場合に、第１階調よりも低い第２階調が指定された場合よりも早い時点にて駆動信号の供給を停止する方法も好適である。
【０００７】
駆動信号の供給前における保持容量の両端間の電圧によっては、駆動トランジスタのソースの電位の時間変化率とゲートの電位の時間変化率（駆動信号の電位の時間変化率）とが合致する平衡状態に到達するまでに相当の時間が必要となる場合がある。そこで、本発明の好適な態様においては、駆動信号の供給前に、保持容量の両端間の電圧が初期化される。
【０００８】
保持容量の両端間の電圧を初期化する方法としては、例えば、高階調が指定された場合と同様に画素回路を駆動する方法が好適である。さらに詳述すると、前記駆動信号を前記駆動トランジスタのゲートに供給し、高階調に対応した時点で前記駆動信号の供給を停止することで、前記保持容量の両端間の電圧を初期化する。以上の態様の具体例は第３実施形態として後述される。
【０００９】
また、駆動信号の供給前に、当該駆動信号の供給用の信号線から駆動トランジスタのゲートに基準電位を供給するとともに駆動トランジスタのソースに所定の電位を供給することで保持容量の両端間の電圧を初期化する方法も好適である。以上の方法においては、駆動信号の供給用の信号線が基準電位の供給のために兼用されるから、駆動信号の供給用の信号線と基準電位の供給用の給電線とを個別に形成した構成と比較して発光装置の構成が簡素化されるという利点がある。以上の態様の具体例は、例えば第４実施形態や第５実施形態として後述される。
【００１０】
また、駆動信号の供給前に、駆動トランジスタのゲートに基準電位を供給するとともに駆動トランジスタをオン状態に制御することで、保持容量の両端間の電圧を駆動トランジスタの閾値電圧に漸近させる方法も好適である。保持容量の電圧を閾値電圧に漸近させる方法においては、駆動信号の供給の開始後に駆動トランジスタがオン状態に変化するまでの時間が短縮されるという利点がある。なお、以上の態様の具体例は、例えば第６実施形態として後述される。
【００１１】
本発明の好適な態様に係る発光装置は、相互に直列に接続された発光素子および駆動トランジスタと、発光素子と駆動トランジスタとの間の経路と駆動トランジスタのゲートとの間に介在する保持容量と、駆動トランジスタのゲートと信号線との間に介在する制御スイッチとを含む画素回路と、電位の時間変化率が経時的に変化する駆動信号を信号線に供給する一方、制御スイッチをオン状態に制御することで駆動トランジスタのゲートに駆動信号を供給し、画素回路に指定された階調に応じて可変に設定された時点で制御スイッチをオフ状態に制御する駆動回路とを具備する。以上の態様においても本発明の駆動方法と同様の作用および効果が実現される。
【００１２】
さらに詳述すると、駆動信号の電位の時間変化率を経時的に増加させる構成においては、駆動回路は、画素回路に第１階調が指定された場合に、第１階調よりも低い第２階調が指定された場合よりも遅い時点で制御スイッチをオフ状態に制御する。一方、駆動信号の電位の時間変化率を経時的に減少させる構成においては、駆動回路は、画素回路に第１階調が指定された場合に、第１階調よりも低い第２階調が指定された場合よりも早い時点で制御スイッチをオフ状態に制御する。
【００１３】
本発明の好適な態様に係る発光装置は、複数の走査線と複数の信号線との各交差に対応して複数の画素回路が配列された素子部であって、相互に直列に接続された発光素子および駆動トランジスタと、発光素子と駆動トランジスタとの間の経路と駆動トランジスタのゲートとの間に介在する保持容量と、駆動トランジスタのゲートと信号線との間に介在する制御スイッチと、駆動トランジスタのゲートと信号線との間に介在して走査線の選択時に導通する選択スイッチとを、複数の画素回路の各々が含む素子部と、複数の走査線の各々を単位期間毎に順次に選択し、電位の時間変化率が各単位期間内で経時的に変化する駆動信号を各信号線に供給する一方、走査線を選択する単位期間内において、当該走査線に対応する各画素回路の制御スイッチをオン状態に制御し、当該画素回路に指定された階調に応じて可変に設定された時点で制御スイッチをオフ状態に制御する駆動回路とを具備する。以上の態様においても本発明の駆動方法と同様の作用および効果が実現される。
【００１４】
本発明の好適な態様に係る駆動回路は、複数の信号線の各々に共通の駆動信号を供給する。以上の態様においては、共通の駆動信号が各画素回路における駆動電流の設定に兼用されるから、複数の駆動信号を個別に生成する場合と比較して、発光装置の動作や構成が簡素化されるという利点がある。
【００１５】
本発明の好適な態様に係る発光装置は、信号線に対応する２以上の画素回路の制御スイッチを制御するための制御線を具備し、制御線および信号線は、走査線の延在の方向とは交差する方向に延在する。以上の態様においては、例えば走査線に対応する画素回路の個数が信号線に対応する画素回路の個数を上回る発光装置において、制御線の負荷が軽減される。したがって、制御線が走査線と同方向に延在する構成と比較して、駆動信号の供給を停止する時点を階調に応じて高精度に制御することが可能となる。
【００１６】
本発明の好適な態様において、駆動回路は、複数の走査線のうち一の走査線を選択する単位期間の開始前の２以上の単位期間において、当該一の走査線に対応する各画素回路の駆動トランジスタのゲートに給電線から基準電位を供給するとともに当該駆動トランジスタをオン状態に制御することで、保持容量の両端間の電圧を駆動トランジスタの閾値電圧に漸近させる。以上の態様においては。画素回路に対する駆動信号の供給前に、保持容量の両端間の電圧が駆動トランジスタの閾値電圧に漸近する。したがって、駆動信号の供給の開始後に駆動トランジスタがオン状態に変化するまでの時間（ひいては駆動トランジスタのソースの電位の時間変化率が駆動信号の時間変化率に到達するまでの時間）を短縮することが可能である。
【００１７】
以上の各態様に係る発光装置は各種の電子機器に利用される。電子機器の典型例は、発光装置を表示装置として利用した機器である。本発明に係る電子機器としてはパーソナルコンピュータや携帯電話機が例示される。もっとも、本発明に係る発光装置の用途は画像の表示に限定されない。例えば、光線の照射によって感光体ドラムなどの像担持体に潜像を形成するための露光装置（光ヘッド）としても本発明の発光装置が適用される。
【発明を実施するための最良の形態】
【００１８】
＜Ａ：駆動の原理＞
本発明の具体的な形態の説明に先立って、各形態にて画素回路の駆動に利用される原理を説明する。図１に示すように、給電線１６と給電線１８とを連結する経路上にＮチャネル型の駆動トランジスタＴDRと容量ＣE（容量値ｃp1）とが直列に配置された回路を想定する。
【００１９】
給電線１６には電位ＶELが供給され、給電線１８には電位ＶCT（ＶCT＜ＶEL）が供給される。駆動トランジスタＴDRのドレインは給電線１６に接続され、容量ＣEは駆動トランジスタＴDRのソースと給電線１８との間に介在する。駆動トランジスタＴDRのゲートとソースとの間には保持容量ＣST（容量値ｃp2）が介在する。したがって、駆動トランジスタＴDRのゲートの電位ＶGとソースの電位ＶSとの差分の電圧ＶGS（ＶGS＝ＶG−ＶS）が保持容量ＣSTの両端間に印加される。
【００２０】
駆動トランジスタＴDRのゲートには駆動信号Ｘが供給される。駆動信号Ｘは、図２に示すように、電位ＶXが経時的に上昇する電圧信号である。図２においては、電位ＶXの時間変化率ＲX（ＲX＝ｄＶX/ｄt）が定数である場合（すなわち、直線的に上昇する場合）が例示されている。また、図２には、駆動トランジスタＴDRの電気的な特性（移動度や閾値電圧）が特性Ｐaである場合と特性Ｐbである場合との各々についてソースの電位ＶSの時間的な変化が併記されている。
【００２１】
駆動信号Ｘの供給で駆動トランジスタＴDRのゲートの電位ＶG（電位ＶX）が上昇し、駆動トランジスタＴDRのゲート−ソース間の電圧ＶGSが駆動トランジスタＴDRの閾値電圧ＶTHを上回ると、駆動トランジスタＴDRのドレイン−ソース間には電流ＩDSが流れる。電流ＩDSは以下の数式(1)で表現される。数式(1)のμは駆動トランジスタＴDRの移動度である。また、Ｗ/Ｌは、駆動トランジスタＴDRのチャネル長Ｌに対するチャネル幅Ｗの相対比であり、Ｃoxは、駆動トランジスタＴDRのゲート絶縁膜の単位面積毎の容量値である。
ＩDS＝１/２・μ・Ｗ/Ｌ・Ｃox・（ＶGS−ＶTH）２  ……(1)
【００２２】
一方、駆動トランジスタＴDRに電流ＩDSが流れると容量ＣEおよび保持容量ＣSTに電荷が充電されるから、図２のように駆動トランジスタＴDRのソースの電位ＶSは時間変化率ＲS（ＲS＝ｄＶS/ｄt）で経時的に変化する。電流ＩDSと駆動トランジスタＴDRのソースの電位ＶSとの間には以下の数式(2)の関係が成立する。
ＩDS＝ｄＱ/ｄt
＝ｃp2・（ｄＶS/ｄt−ｄＶX/ｄt）＋ｃp1・ｄＶS/ｄt  ……(2)
【００２３】
図２の部分ａのように、駆動トランジスタＴDRのソースの電位ＶSの時間変化率（すなわち、時間ｔに対する電位ＶSの勾配）ＲSが駆動信号Ｘの電位ＶXの時間変化率ＲXを下回る場合、駆動トランジスタＴDRのゲート−ソース間の電圧ＶGSは経時的に増加する。数式(1)が示すように、電圧ＶGSが増加すると電流ＩDSは増加する。そして、数式(2)から理解されるように、電流ＩDSが増加すると時間変化率ＲSも増加する。すなわち、時間変化率ＲSが時間変化率ＲXを下回ると時間変化率ＲSは増加する。
【００２４】
一方、図２の部分ｂのように、駆動信号Ｘの電位ＶXの時間変化率ＲXがソースの電位ＶSの時間変化率ＲSを下回る場合、ゲート−ソース間の電圧ＶGSは経時的に減少するから、数式(1)から理解されるように電流ＩDSは減少する。そして、電流ＩDSが減少すると時間変化率ＲSは減少する。すなわち、時間変化率ＲSが時間変化率ＲXを上回ると時間変化率ＲSは減少する。
【００２５】
以上のように、駆動トランジスタＴDRのソースの電位ＶSの時間変化率ＲSは、駆動トランジスタＴDRの特性に拘わらず（すなわち、特性Ｐaおよび特性Ｐbの何れであっても）、駆動信号Ｘの電位ＶXの時間変化率ＲXに経時的に接近し、最終的には時間変化率ＲXに到達する。時間変化率ＲSが時間変化率ＲXに合致した状態（以下「平衡状態」という）は、駆動信号Ｘの電位ＶXの上昇に起因した電圧ＶGSの増加と電流ＩDSによる充電に起因した電圧ＶGSの減少とが平衡した状態とも表現できる。
【００２６】
平衡状態では時間変化率ＲSと時間変化率ＲXとが合致する（ＲS＝ｄＶS/ｄt＝ＲX＝ｄＶX/ｄt）から、数式(2)は以下の数式(3)に変形される。すなわち、駆動トランジスタＴDRに流れる電流ＩDSは、駆動信号Ｘの電位ＶXの時間変化率ＲXに比例する。さらに詳述すると、電流ＩDSは、容量ＣEの容量値ｃp1および電位ＶXの時間変化率ＲXのみに応じて決定され、駆動トランジスタＴDRの移動度μや閾値電圧ＶTHに依存しない。
ＩDS＝ｃp2・（ｄＶS/ｄt−ｄＶX/ｄt）＋ｃp1・ｄＶS/ｄt
＝ｃp2・（ｄＶX/ｄt−ｄＶX/ｄt）＋ｃp1・ｄＶX/ｄt
＝ｃp1・ＲX  ……(3)
【００２７】
駆動トランジスタＴDRのゲート−ソース間の電圧ＶGSは、移動度μや閾値電圧ＶTHに依存しない数式(3)の電流ＩDSが駆動トランジスタＴDRを流れるのに必要な電圧（すなわち、数式(3)の電流ＩDSに対して数式(1)の関係を満たす電圧ＶGS）に、自身の移動度μや閾値電圧ＶTHに応じて自動的に設定される。例えば、駆動トランジスタＴDRの特性が図２の特性Ｐaである場合には電圧ＶGSが電圧Ｖaに設定され、駆動トランジスタＴDRの特性が図２の特性Ｐbである場合には電圧ＶGSが電圧Ｖbに設定される。平衡状態においては、特性Ｐaおよび特性Ｐbの何れの場合でも、容量値ｃp1および時間変化率ＲXのみに応じた共通の電流ＩDSが駆動トランジスタＴDRに流れる。
【００２８】
以上の方法で設定されたゲート−ソース間の電圧ＶGSが保持容量ＣSTに保持されることで、駆動トランジスタＴDRには、駆動信号Ｘ（電位ＶX）の供給の停止後も継続的に電流ＩDSが流れる。以下に例示する各形態では、発光素子の駆動用の電流（以下「駆動電流」という）ＩDRとして電流ＩDSを利用する。数式(3)を参照して説明したように電流ＩDSは駆動トランジスタＴDRの特性（移動度μや閾値電圧ＶTH）に依存しないから、駆動トランジスタＴDRの特性に起因した駆動電流ＩDRの誤差（さらには発光素子の輝度の誤差）を補償することが可能である。一方、駆動電流ＩDR（電流ＩDS）は駆動信号Ｘの電位ＶXの時間変化率ＲXに応じて決定されるから、駆動信号Ｘの時間変化率ＲXを制御することで駆動電流ＩDRの電流量（さらには発光素子の輝度）を可変に設定することが可能である。
【００２９】
＜Ｂ：第１実施形態＞
＜Ｂ−１：発光装置の構成および動作＞
図３は、本発明の第１実施形態に係る発光装置のブロック図である。発光装置１００は、画像を表示する表示装置として電子機器に搭載される。図３に示すように、発光装置１００は、複数の画素回路Ｕが配列された素子部１０と、各画素回路Ｕを駆動する駆動回路３０とを具備する。駆動回路３０は、走査線駆動回路３２と信号線駆動回路３４とを含んで構成される。駆動回路３０は、例えば複数の集積回路に分散して実装される。ただし、駆動回路３０の少なくとも一部は、画素回路Ｕとともに基板上に形成された薄膜トランジスタで構成され得る。
【００３０】
素子部１０には、Ｘ方向に延在するｍ本の走査線１２と、Ｘ方向に交差するＹ方向に延在するｎ本の信号線１４とが形成される（ｍ，ｎは自然数）。複数の画素回路Ｕは、各走査線１２と各信号線１４との交差に配置されて縦ｍ行×横ｎ列の行列状に配列する。また、素子部１０には、各信号線１４とともにＹ方向に延在するｎ本の制御線２４が形成される。
【００３１】
走査線駆動回路３２は、走査信号ＧA[1]〜ＧA[m]を各走査線１２に出力する。信号線駆動回路３４は、信号生成回路４２と階調制御回路４４とを含んで構成される。信号生成回路４２は、駆動信号Ｘをｎ本の信号線１４に対して共通に出力する。階調制御回路４４は、各画素回路Ｕの階調Ｄに応じた制御信号ＧT[1]〜ＧT[n]を各制御線２４に出力する。なお、信号生成回路４２および階調制御回路４４の各々は独立の集積回路としても実装され得る。
【００３２】
図４は、画素回路Ｕの回路図である。図４においては、第ｉ行（ｉ＝１〜ｍ）の第ｊ列目（ｊ＝１〜ｎ）に位置する１個の画素回路Ｕのみが代表的に図示されている。図４に示すように、画素回路Ｕは、発光素子Ｅと駆動トランジスタＴDRと保持容量ＣSTと選択スイッチＴSLと制御スイッチＴCR1とを含んで構成される。選択スイッチＴSLおよび制御スイッチＴCR1は、例えばＮチャネル型のトランジスタ（例えば薄膜トランジスタ）である。
【００３３】
発光素子Ｅと駆動トランジスタＴDRとは、給電線１６（電位ＶEL）と給電線１８（電位ＶCT）とを連結する経路上に直列に配置される。発光素子Ｅは、相対向する陽極と陰極との間に有機ＥＬ（Electroluminescence）材料の発光層を介在させた有機ＥＬ素子である。図４に示すように、発光素子Ｅには図１の容量ＣE（容量値ｃp1）が付随する。
【００３４】
駆動トランジスタＴDRは、給電線１６にドレインが接続されるとともにソースが発光素子Ｅの陽極に接続されたＮチャネル型のトランジスタ（例えば薄膜トランジスタ）である。保持容量ＣST（容量値ｃp2）は、駆動トランジスタＴDRのソース（すなわち、発光素子Ｅと駆動トランジスタＴDRとの間の経路）と駆動トランジスタＴDRのゲートとの間に介在する。
【００３５】
選択スイッチＴSLおよび制御スイッチＴCR1は、信号線１４と駆動トランジスタＴDRのゲートとの間に直列に配置されて信号線１４と駆動トランジスタＴDRのゲートとの電気的な接続（導通／非導通）を制御する。すなわち、選択スイッチＴSLおよび制御スイッチＴCR1の双方がオン状態に制御されることで駆動トランジスタＴDRのゲートが信号線１４に導通する。第ｉ行に属するｎ個の画素回路Ｕの各々の選択スイッチＴSLのゲートは第ｉ行の走査線１２に共通に接続され、第ｊ列に属するｍ個の画素回路Ｕの各々の制御スイッチＴCR1のゲートは第ｊ列の制御線２４に共通に接続される。なお、図２においては信号線１４と制御スイッチＴCR1との間に選択スイッチＴSLを配置したが、信号線１４と選択スイッチＴSLとの間に制御スイッチＴCR1を配置した構成も採用される。
【００３６】
次に、図５を参照して、第ｉ行の第ｊ列目に位置する画素回路Ｕに着目しながら駆動回路３０の動作（画素回路Ｕの駆動方法）を説明する。走査線駆動回路３２は、垂直走査期間内のｍ個の単位期間Ｈ（Ｈ[1]〜Ｈ[m]）の各々において走査信号ＧA[1]〜ＧA[m]を順番にアクティブレベル（ハイレベル）に設定することで各走査線１２（各行のｎ個の画素回路Ｕの集合）を順次に選択する。図５に示すように、走査信号ＧA[i]は、垂直走査期間内の第ｉ番目の単位期間Ｈ[i]にてアクティブレベル（走査線１２の選択を意味するハイレベル）に設定され、単位期間Ｈ[i]以外では非アクティブレベル（ローレベル）を維持する。走査信号ＧA[i]がアクティブレベルに遷移すると、第ｉ行に属するｎ個の画素回路Ｕの各々の選択スイッチＴSLが一斉にオン状態に変化する。
【００３７】
信号線駆動回路３４の信号生成回路４２は、単位期間Ｈを周期として電位ＶXが変動する駆動信号Ｘを生成する。図５および図６に示すように、駆動信号Ｘの電位ＶXは、各単位期間Ｈの始点から終点にかけて連続に変化（増加）する。電位ＶXの時間変化率ＲX（ＲX＝ｄＶX/ｄt）は、各単位期間Ｈの始点にてゼロに設定されるとともに当該単位期間Ｈ内で時間の経過とともに増加する。例えば図６に例示されるように、時間軸上の時点ｔHでの時間変化率ＲX_Hは、時点ｔHの手前の時点ｔLでの時間変化率ＲX_Lを上回る。したがって、駆動信号Ｘの単位期間Ｈ内の電位波形は下に凸の曲線（ランプ波に類似した波形）となる。
【００３８】
図３の階調制御回路４４は、図５に示すように、第ｊ列目の制御線２４に出力する制御信号ＧT[j]を、各単位期間Ｈ内の階調設定期間ＰSETにてアクティブレベル（ハイレベル）に制御し、当該単位期間Ｈの残余の期間にて非アクティブレベル（ローレベル）に制御する。階調設定期間ＰSETは、単位期間Ｈの始点から時間ｔxが経過する時点までの期間である。
【００３９】
階調設定期間ＰSETの時間ｔx（すなわち、制御信号ＧT[j]のパルス幅）は、画素回路Ｕに指定される階調Ｄに応じて所定の範囲内（例えばゼロから単位期間Ｈの時間長ｈまでの範囲内）で可変に設定される。第ｉ行の走査線１２が選択される単位期間Ｈ[i]内で制御信号ＧT[j]がアクティブレベルに設定される階調設定期間ＰSETの時間ｔxは、第ｉ行の第ｊ列目に位置する画素回路Ｕに指定された階調Ｄに応じて可変に設定される。さらに詳述すると、画素回路Ｕに指定された階調Ｄが高い（発光素子Ｅに供給される駆動電流ＩDRが大きい）ほど、各単位期間Ｈ内の階調設定期間ＰSETは長い時間ｔxに設定される。
【００４０】
すなわち、図６に示すように、画素回路Ｕに階調ＤHが指定された場合の階調設定期間ＰSETの時間ｔx_Hは、階調ＤHよりも低い階調ＤLが指定された場合の階調設定期間ＰSETの時間ｔx_Lよりも長い。換言すると、単位期間Ｈ[i]内での制御信号ＧT[j]の立下りの時点（すなわち階調設定期間ＰSETの終点）が第ｉ行の第ｊ列の画素回路Ｕの階調Ｄに応じて制御される。駆動信号Ｘの電位ＶXの時間変化率ＲXは経時的に変化するから、階調設定期間ＰSETの終点での時間変化率ＲXは階調Ｄに応じて変化する。例えば、図６に示すように、階調ＤHが指定された場合の階調設定期間ＰSETの終点ｔHにおける時間変化率ＲX_Hは、階調ＤLが指定された場合の階調設定期間ＰSETの終点ｔLにおける時間変化率ＲX_Lを上回る。
【００４１】
第ｉ行の各画素回路Ｕの選択スイッチＴSLは単位期間Ｈ[i]にてオン状態に設定されるから、制御信号ＧT[i]がアクティブレベルに遷移して制御スイッチＴCR1がオン状態に変化すると、駆動トランジスタＴDRのゲートが信号線１４に導通する。したがって、図１を参照して説明したように駆動トランジスタＴDRのゲートに駆動信号Ｘが供給され、図５に示すように、駆動信号Ｘの電位ＶXの時間変化率ＲXでゲートの電位ＶGが経時的に上昇する。一方、電位ＶGの変動に応じた電流ＩDSが駆動トランジスタＴDRのドレイン−ソース間に流れることでソースの電位ＶSは経時的に上昇する。そして、電位ＶSの時間変化率ＲS（ＲS＝ｄＶS/ｄt）が駆動信号Ｘの電位ＶXの時間変化率ＲX（ＲX＝ｄＶX/ｄt）に合致する平衡状態に到達すると、容量ＣEの容量値ｃp1および時間変化率ＲXのみに依存する電流ＩDSが駆動トランジスタＴDRを流れる。時間変化率ＲXが経時的に増加するように駆動信号Ｘは生成されるから、電流ＩDSの電流量は階調設定期間ＰSET内で経時的に増加する。
【００４２】
単位期間Ｈ[i]の始点（階調設定期間ＰSETの始点）から時間ｔxが経過して制御信号ＧT[j]が非アクティブレベルに立下がると、制御スイッチＴCR1がオフ状態に変化することで駆動トランジスタＴDRのゲートに対する駆動信号Ｘの供給が停止される。図５に示すように、保持容量ＣSTには、駆動信号Ｘの供給が停止した時点で駆動トランジスタＴDRを流れていた電流ＩDSに対応する電圧ＶSETが保持される。すなわち、電圧ＶSETは、容量ＣEの容量値ｃp1と時間変化率ＲXとで決定される（すなわち駆動トランジスタＴDRの移動度μや閾値電圧ＶTHに依存しない）電流ＩDSを駆動トランジスタＴDRに流すために必要なゲート−ソース間の電圧ＶGSである。
【００４３】
保持容量ＣSTに電圧ＶSETが保持されることで、駆動トランジスタＴDRのドレイン−ソース間には駆動信号Ｘの停止後も電流ＩDSが流れる。したがって、駆動トランジスタＴDRのソースの電位ＶSは経時的に上昇する。一方、制御スイッチＴCR1がオフ状態に遷移すると、駆動トランジスタＴDRのゲートは電気的なフローティング状態となる。したがって、図５に示すように、駆動トランジスタＴDRのゲートの電位ＶGはソースの電位ＶSに連動して上昇する。すなわち、駆動トランジスタＴDRのゲート−ソース間の電圧ＶGSが階調設定期間ＰSETの終点での電圧ＶSETに維持されたまま、容量ＣEの両端間の電圧（駆動トランジスタＴDRのソースの電位ＶS）が徐々に増加する。そして、容量ＣEの両端間の電圧が発光素子Ｅの閾値電圧ＶTH_OLEDに到達すると、電圧ＶSETに対応する電流ＩDSが駆動電流ＩDRとして発光素子Ｅを流れる。発光素子Ｅは、駆動電流ＩDRの電流量に応じた輝度（指定階調Ｄ）で発光する。
【００４４】
駆動電流ＩDR（電流ＩDS）は、駆動信号Ｘの供給の停止時に駆動トランジスタＴDRを流れていた電流ＩDSと略同等の電流量に設定される。すなわち、駆動電流ＩDRは、駆動信号Ｘの供給の停止時における時間変化率ＲXに依存する。図６を参照して説明したように、駆動信号Ｘの供給が停止される時点における時間変化率ＲXは階調Ｄに応じて可変に設定されるから、発光素子Ｅには階調Ｄに応じた駆動電流ＩDRが供給される。例えば、図６に示したように、階調ＤHが指定された場合の時点ｔHにおける時間変化率ＲX_Hは、階調ＤL（ＤL＜ＤH）が指定された場合の時点ｔLにおける時間変化率ＲX_Lを上回るから、階調ＤHが指定された場合の駆動電流ＩDRの電流量は、階調ＤLが指定された場合の駆動電流ＩDRを上回る。以上のように各画素回路Ｕの発光素子Ｅを階調Ｄに応じた輝度に制御される。
【００４５】
本形態においては、駆動信号Ｘの電位ＶXの時間変化率ＲXに対応した電流ＩDS（駆動トランジスタＴDRの移動度μや閾値電圧ＶTHに依存しない電流）が駆動トランジスタＴDRを流れるように保持容量ＣSTの両端間の電圧ＶSETが設定されるから、各画素回路Ｕに指定される階調Ｄに拘わらず、駆動トランジスタＴDRの特性（移動度μや閾値電圧ＶTH）に起因した駆動電流ＩDRの誤差（ひいては発光素子Ｅの輝度の誤差）を抑制することが可能である。したがって、例えば、素子部１０に表示される画像の階調のムラが抑制されるという利点がある。
【００４６】
なお、駆動電流ＩDRの決定に適用される駆動信号Ｘの時間変化率ＲXを階調Ｄに応じて変化させる構成としては、例えば、各画素回路Ｕの階調Ｄに応じて時間変化率ＲXが設定された駆動信号Ｘを各画素回路Ｕに個別に供給する構成（以下「対比例」という）も想定される。本形態においては、駆動信号Ｘの時間変化率ＲXを経時的に変化させたうえで駆動信号Ｘの供給の停止の時点が階調Ｄに応じて制御されるから、対比例と比較すると、駆動信号Ｘを複数の画素回路Ｕにわたって共用できるという利点がある。また、駆動信号Ｘの供給を停止する時点の制御（すなわち制御信号ＧT[j]のパルス幅の制御）は、各駆動信号Ｘの時間変化率ＲXの制御と比較して容易であるから、対比例と比較して信号線駆動回路３４の動作や構成が簡素化されるという利点もある。
【００４７】
ところで、制御信号ＧT[j]の供給用の制御線２４に付随する負荷（画素回路Ｕの個数）が大きい場合には制御信号ＧT[j]の波形歪が顕在化するから、各画素回路Ｕに対する駆動信号Ｘの供給を停止する時点（ひいては駆動電流ＩDRの決定に適用される時間変化率ＲX）を高精度に制御することが困難となる。一方、例えば複数種の表示色（例えば赤色，緑色，青色）の各々に対応する画素回路ＵがＸ方向に配列する構成においては、素子部１０内の画素回路Ｕの列数ｎ（信号線１４や制御線２４の総数）が行数ｍ（走査線１２の総数）を上回る場合が多い。制御線２４が信号線１４とともにＹ方向に延在する本形態においては、１本の制御線２４の負荷となる画素回路Ｕの個数ｍが１行内の画素回路Ｕの個数ｎを下回るから、例えばＸ方向に配列するｎ個の画素回路Ｕが１本の制御線２４を共用する構成と比較して制御線２４の負荷が軽減される。したがって、制御信号ＧT[j]の波形歪が抑制され、駆動信号Ｘの供給を停止する時点（ひいては駆動電流ＩDRの決定に適用される時間変化率ＲX）を高精度に制御できるという利点がある。
【００４８】
また、駆動信号Ｘが供給される信号線１４もＹ方向に延在するから、例えば素子部１０内の画素回路Ｕの列数ｎが行数ｍを上回る場合には、信号線１４が行毎にＸ方向に延在する構成と比較すると、各信号線１４の負荷が軽減される。したがって、各信号線１４が伝送する駆動信号Ｘの波形歪を抑制することが可能である。すなわち、駆動電流ＩDRを決定する時間変化率ＲXが高精度に設定された駆動信号Ｘを伝送できるという利点がある。もっとも、信号線１４がＹ方向に延在する構成は必須ではない。例えば、信号線１４がＸ方向に延在する構成や、Ｘ方向およびＹ方向の双方にわたって格子状（網目状）に形成された構成も採用される。
【００４９】
＜Ｂ−２：駆動信号Ｘの波形の選定＞
次に、駆動信号Ｘの波形（単位領域Ｈ内の波形）を選定する方法について詳細に説明する。
図７および図８は、駆動信号Ｘの電位ＶXの時間変化率ＲXと駆動トランジスタＴDRのドレイン−ソース間の電流ＩDSとの相関を示すグラフである。図７の部分(A)は、図７の部分(B)のように高階調ＤHに対応した時間変化率ＲX（ＲX_H）で電位ＶXを変化させた場合の電流ＩDSの時間的な変化を示す。一方、図８の部分(A)は、図８の部分(B)のように、低階調ＤLに対応した時間変化率ＲX（ＲX_L）で電位ＶXを変化させた場合（すなわち電位ＶXの変化を緩やかにした場合）の電流ＩDSの時間的な変化を示す。図７および図８の何れにおいても、電位ＶXが変化し始めた時点（グラフの左端）では、駆動トランジスタＴDRのゲート−ソース間の電圧ＶGSを閾値電圧ＶTHの付近の電圧に設定した。したがって、電位ＶXを変化させ始めた時点の電流ＩDSはゼロである。
【００５０】
数式(3)から理解されるように、電流ＩDSの電流量は、駆動信号Ｘの電位ＶXの変化の開始後に駆動トランジスタＴDRのソースの電位ＶSが平衡状態に到達することで、駆動信号Ｘの時間変化率ＲXに対応した所定値に安定する。図７の部分(A)と図８の部分(A)とを対比すると、時間変化率ＲXが低いほど、平衡状態に到達するまでに必要な時間Δｔが長いという傾向が把握される。
【００５１】
以上の傾向を考慮すると、時間変化率ＲXが低い区間では時間変化率ＲXが緩やかに変化し、時間変化率ＲXが高い区間では時間変化率ＲXが速く変化するように、駆動信号Ｘの波形を選定することが望ましいと理解できる。換言すると、時間変化率ＲXの時間微分値（電位ＶXの２階微分値）が経時的に増加する波形が好適である。時間変化率ＲXが高い区間で時間変化率ＲXを遅く変化させると、駆動トランジスタＴDRのソースの電位ＶSが充分に平衡状態に到達するにも拘わらず、電位ＶXを変化させる時間（単位期間Ｈの時間）を長く確保する必要があり、時間変化率ＲXが低い区間で時間変化率ＲXを速く変化させると、駆動トランジスタＴDRのソースの電位ＶSが充分に平衡状態に到達しない（したがって、駆動電流ＩDRの誤差が有効に補償されない）からである。
【００５２】
以上の検討を考慮して、駆動信号Ｘの電位ＶXを以下の数式(4)のように定義する。数式(4)の定数αは、例えば数式(5)に示すように、単位期間Ｈの終点（ｔ＝ｈ）における電位ＶXの時間変化率ＲX（微分値）が次数ｎに依存しない所定値（Ｉmax/ｃp1）となるように選定される。数式(5)のＩmaxは、駆動電流ＩDRの電流量の最大値である。
ＶX＝α・ｔｎ  ……(4)
α・ｎ・ｈｎ−１＝Ｉmax／ｃp1  ……(5)
【００５３】
図９は、数式(4)における時間ｔの次数ｎを変化させた複数の場合（ｎ＝２〜５）の各々について電位ＶXの時間的な変化（すなわち駆動信号Ｘの波形）を示すグラフである。図９に示すように、次数ｎが増加するほど単位期間Ｈ内における駆動信号Ｘの電位ＶXは低下する。したがって、駆動信号Ｘの振幅を低減する（信号線駆動回路３４に要求される耐圧性を低減する）という観点からすると、数式(4)の次数ｎは大きい数値であることが望ましい。また、次数ｎが増加するほど時間変化率ＲXの微分値の時間的な増加率も増加するから、図７および図８の検討の結果を考慮しても、数式(4)の次数ｎは大きい数値であることが望ましい。
【００５４】
図１０は、次数ｎを変化させた複数の場合（ｎ＝２〜５）の各々について駆動電流ＩDRの電流量の目標値と誤差との相関を示すグラフである。図１０の縦軸が示す誤差は、駆動電流ＩDRが各目標値（横軸）となるように画素回路Ｕを駆動した場合に実際に発光素子Ｅに供給された駆動電流ＩDRの電流量の最大値と最小値との相対比（絶対値）である。
【００５５】
数式(4)の次数ｎを３以上に設定した場合に駆動電流ＩDRの誤差を有効に低減できることが図１０から把握される。なお、図１０に示すように、次数ｎを２に設定すると、次数ｎを３以上に設定した場合と比較して駆動電流ＩDRの誤差が顕著に増大する。次数ｎを３以上とした場合の電位ＶXの２階微分値は経時的に増加するのに対し、次数ｎを２とした場合の電位ＶXの２階微分値は定数であることを考慮すると、図１０の結果は、電位ＶXの２階微分値が経時的に増加する波形が好適であるという図７および図８の検討の結果に整合する。したがって、電位ＶXを定義する関数の時間ｔの次数ｎは３以上であることが望ましい。
【００５６】
一方、次数ｎを５以上の範囲で増加させるほど、中間調が指定された場合の駆動電流ＩDRの誤差が増大することが確認された。したがって、次数ｎを５以下に設定した駆動信号Ｘが好適である。以上に説明したように、電位ＶXを数式(4)で定義する場合、時間ｔの次数ｎは３から５の範囲内で設定されることが望ましく、次数ｎを５に設定した構成は格別に好適である。
【００５７】
もっとも、数式(4)は駆動信号Ｘの電位波形の例示に過ぎない。すなわち、電位ＶXの時間変化率ＲXが経時的に変化するという条件のもとで、駆動信号Ｘの電位波形は適宜に変更される。例えば、電位ＶXは以下の数式(6)でも定義される。数式(6)のｅは自然定数の底であり、定数βは、単位期間Ｈの終点（ｔ＝ｈ）における電位ＶXの時間変化率ＲXが所定値（例えばＩmax/ｃp1）となるように選定される。
ＶX＝β・ｅｎ・ｔ  ……(6)
【００５８】
＜Ｂ−３：信号線駆動回路３４の具体的な構成＞
図１１を参照して信号線駆動回路３４の構成の具体例を説明する。図１１に示すように、信号生成回路４２は、計数回路４２１と電位生成回路４２３とフィルタ回路４２５とバッファ回路４２７とを具備する。計数回路４２１は、所定のクロック信号を計数するとともに各単位期間Ｈの始点にて計数値ｃ1をゼロに初期化する。計数値ｃ1は単位期間Ｈの開始後の時間ｔに相当する。電位生成回路４２３は、計数回路４２１による計数値ｃ1に応じた電位ＶXを出力する。電位ＶXの時間変化率ＲXが経時的に増加するように（例えば数式(4)が成立するように）、計数値ｃ1（時間ｔ）と電位ＶXとの関係が選定される。例えば、計数値ｃ１をアドレスとして電位ＶXを出力するルックアップテーブルとＤ/Ａ変換器との組合せが電位生成回路４２３として好適に利用される。フィルタ回路（例えばローパスフィルタ）４２５は、電位生成回路４２３が出力する電位ＶXの段差を平滑化する。フィルタ回路４２５からの出力信号がバッファ回路４２７を経由することで駆動信号Ｘとして各信号線１４に供給される。
【００５９】
一方、階調制御回路４４は、計数回路４４２と各制御線２４に対応するｎ個の単位回路４４６とを含んで構成される。計数回路４４２は、所定のクロック信号を計数するとともに各単位期間Ｈの始点にて計数値ｃ2をゼロに初期化する。単位期間Ｈ[i]の開始時に、第ｊ列目の単位回路４４６には、第ｉ行に属する第ｊ列目の階調Ｄが供給される。第ｊ列目の単位回路４４６は、各単位期間Ｈの始点にて制御信号ＧT[j]をアクティブレベルに設定し、計数回路４４２による計数値ｃ2が階調Ｄの数値に到達した時点（すなわち、階調Ｄに応じた時間ｔxが経過した時点）で制御信号ＧT[j]を非アクティブレベルに設定する。すなわち、単位回路４４６は、階調Ｄに応じたパルス幅（時間ｔx）の制御信号ＧT[j]を生成するパルス幅変調回路である。
【００６０】
＜Ｃ：第２実施形態＞
次に、本発明の第２実施形態について説明する。なお、以下の各形態において作用や機能が第１実施形態と同等である要素については、以上と同じ符号を付して各々の詳細な説明を適宜に省略する。
【００６１】
図１２は、第２実施形態における駆動信号Ｘと制御信号ＧT[j]との関係を示すタイミングチャートである。図１２においては、図６と同様に、階調ＤHが指定された場合と階調ＤLが指定された場合とについて制御信号ＧT[j]が図示されている。図１２に示すように、駆動信号Ｘは、電位ＶXの時間変化率ＲXが経時的に減少するように（すなわち電位ＶXが上に凸の曲線を描くように）、各単位期間Ｈの始点から終点にかけて連続に増加する。例えば、電位ＶXは以下の数式(7)で定義される。数式(7)の定数γは、単位期間Ｈの始点（ｔ＝０）における電位ＶXの時間変化率ＲXが所定値（例えばＩmax/ｃp1）となるように選定される。
ＶX＝γ・｛１−（ｈ−ｔ）ｎ｝  ……(7)
【００６２】
階調制御回路４４は、第１実施形態と同様に、単位期間Ｈ[i]のうち制御信号ＧT[j]をアクティブレベルに設定する階調設定期間ＰSETの時間長ｔxを、第ｉ行に属する第ｊ列目の画素回路Ｕに指定された階調Ｄに応じて可変に設定する。ただし、第１実施形態とは逆に、画素回路Ｕに指定された階調Ｄが高いほど各単位期間Ｈ内の階調設定期間ＰSETは短い時間ｔxに設定される。例えば、階調ＤHが指定された場合の階調設定期間ＰSETの時間ｔx_Hは、階調ＤLが指定された場合の階調設定期間ＰSETの時間ｔx_Lよりも短い。電位ＶXの時間変化率ＲXは経時的に減少するから、第１実施形態と同様に、階調ＤHが指定された場合の階調設定期間ＰSETの終点ｔHにおける時間変化率ＲX_Hは、階調ＤLが指定された場合の階調設定期間ＰSETの終点ｔLにおける時間変化率ＲX_Lを上回る。したがって、本形態においても第１実施形態と同様の効果が実現される。
【００６３】
＜Ｄ：駆動トランジスタＴDRのゲート−ソース間の電圧ＶGSの初期化＞
以上の各形態において、時間変化率ＲSが駆動信号Ｘの時間変化率ＲXに合致した平衡状態に駆動トランジスタＴDRを変化させるためには、閾値電圧ＶTHを上回るようにゲート−ソース間の電圧ＶGSを設定することで駆動トランジスタＴDRに電流ＩDSを流す必要がある。しかし、ゲート−ソース間の電圧ＶGSが様々な理由で閾値電圧ＶTHを下回る場合がある。例えば、発光装置１００の電源が投入された直後には電圧ＶGSが不定の状態にあるから閾値電圧ＶTHを下回る可能性がある。また、雑音などの外乱の影響で電圧ＶGSが閾値電圧ＶTHを下回る可能性もある。
【００６４】
そして、単位期間Ｈの開始の時点における電圧ＶGSが閾値電圧ＶTHと比較して低いほど、電圧ＶGSが閾値電圧ＶTHに到達するまでの時間が長くなり、ひいては駆動トランジスタＴDRを平衡状態に到達させるために相当の時間が必要となる場合がある。特に、第１実施形態のもとで低階調を指定する場合には、階調設定期間ＰSET内でのゲートの電位ＶGの変化が少なく、しかも、電位ＶGが変化する階調設定期間ＰSETの時間ｔxも短いから、以上の問題が顕在化する。例えば１個の単位期間Ｈ内では駆動トランジスタＴDRが平衡状態に到達しない場合も発生し得る。
【００６５】
以下の各形態（第３実施形態から第６実施形態）においては、駆動トランジスタＴDRのゲート−ソース間の電圧ＶGSを所定の電圧に初期化することで、単位期間Ｈの開始後に駆動トランジスタＴDRがオン状態に変化するまでの時間（つまり、電圧ＶGSが閾値電圧ＶTHを上回るまでの時間）を短縮する構成を例示する。なお、以下では電圧ＶGSの初期化を第１実施形態に適用した構成を例示するが、同様の構成を第２実施形態に適用することも当然に可能である。
【００６６】
＜Ｄ−１：第３実施形態＞
図１３は、本発明の第３実施形態の動作を示すタイミングチャートである。図１３においては、発光装置１００の電源が投入された直後に設定された所定の期間（以下「初期化期間」という）ＰRS1内の動作のみが図示されている。初期化期間ＰRS1は、各画素回路Ｕの駆動トランジスタＴDRのゲート−ソース間の電圧ＶGSを初期化するための期間（例えば１個の垂直走査期間）である。初期化期間ＰRS1の経過後に各画素回路Ｕの発光素子Ｅを階調Ｄに応じた階調に駆動する動作は第１実施形態（図４）と同様である。
【００６７】
初期化期間ＰRS1においては、素子部１０内の総ての画素回路Ｕが、充分に高い階調ＤH（例えば白表示に対応する最高階調）を指定した場合と同様に駆動される。すなわち、走査線駆動回路３２は、走査信号ＧA[1]〜ＧA[m]を単位期間Ｈ毎に順番にアクティブレベルに設定し、信号生成回路４２は、各単位期間Ｈで電位ＶXの変化率ＲXが経時的に変化する駆動信号Ｘを各信号線１４に出力する。一方、階調制御回路４４は、図１３に示すように、初期化期間ＰRS1内のｍ個の単位期間Ｈ[1]〜Ｈ[m]の各々において、階調設定期間ＰSET（制御信号ＧT[1]〜ＧT[n]のパルス幅）を階調ＤHに対応した時間ｔx_Hに設定する。
【００６８】
以上の動作が実行される初期化期間ＰRS1内の各単位期間Ｈにおいては、階調ＤHに対応した充分な時間ｔx_Hにわたって駆動トランジスタＴDRのゲートの電位ＶGが変化し、かつ、階調設定期間ＰSETの終点において駆動信号Ｘの電位ＶXの時間変化率ＲXは充分に高い数値に設定される。したがって、各画素回路Ｕの駆動トランジスタＴDRの電圧ＶGSは閾値電圧ＶTHを上回る。
【００６９】
以上のように各画素回路Ｕの駆動トランジスタＴDRが初期化期間ＰRS1にてオン状態に制御されるから、発光装置１００の電源の投入時に駆動トランジスタＴDRの電圧ＶGSが閾値電圧ＶTHを下回る場合でも、初期化期間ＰRS1の経過後の各単位期間Ｈ（すなわち各画素回路Ｕを階調Ｄに応じて実際に駆動する段階）では、駆動信号Ｘが供給されることで駆動トランジスタＴDRには迅速かつ確実に電流ＩDSが流れる。したがって、駆動トランジスタＴDRを平衡状態に遷移させるための時間が短縮されるという利点がある。
【００７０】
＜Ｄ−２：第４実施形態＞
図１４は、本発明の第４実施形態の動作（初期化期間ＰRS1内の動作）を示すタイミングチャートである。第３実施形態と同様に、各画素回路Ｕの駆動トランジスタＴDRの電圧ＶGSを初期化する動作が初期化期間ＰRS1にて実行され、初期化期間ＰRS1の経過後には第１実施形態と同様の動作が実行される。初期化期間ＰRS1は、例えば発光装置１００の電源が投入された直後の１個の垂直走査期間である。
【００７１】
図１４に示すように、初期化期間ＰRS1においては、信号線１４に供給される駆動信号Ｘが所定の基準電位ＶREFに固定されるとともに給電線１６には電位ＶLが供給される。一方、走査線駆動回路３２は、走査信号ＧA[1]〜ＧA[m]を単位期間Ｈ毎に順番にアクティブレベルに設定し、階調制御回路４４は、各単位期間Ｈのうち高階調ＤHに対応した時間ｔx_Hの階調設定期間ＰSETにて制御信号ＧT[1]〜ＧT[n]をアクティブレベルに設定する。したがって、階調設定期間ＰSET内においては、選択スイッチＴSLおよび制御スイッチＴCR1がオン状態に制御されることで駆動トランジスタＴDRのゲートには信号線１４から基準電位ＶREFが供給され、駆動トランジスタＴDRのソースの電位ＶSは給電線１６の電位ＶLに設定される。すなわち、駆動トランジスタＴDRのゲート−ソース間の電圧ＶGS（保持容量ＣSTの両端間の電圧）は、基準電位ＶREFと電位ＶLとの差分の電圧（ＶREF−ＶL）に初期化される。
【００７２】
基準電位ＶREFおよび電位ＶLは、両者の差分の電圧が駆動トランジスタＴDRの閾値電圧ＶTHを上回り（ＶREF−ＶL＞ＶTH）、かつ、発光素子Ｅの両端間の電圧が発光素子Ｅの閾値電圧ＶTH_OLEDを下回る（ＶL−ＶCT＜ＶTH_OLED）ように選定される。したがって、初期化期間ＰRS1においては、各画素回路Ｕの発光素子Ｅがオフ状態（非発光状態）に維持されたまま、各画素回路Ｕの駆動トランジスタＴDRがオン状態となる。基準電位ＶREFは、例えば、初期化期間ＰRS1の経過後における駆動信号Ｘの電位ＶXの最小値（すなわち単位期間Ｈの始点における電圧値）に設定される。
【００７３】
以上の形態においても、各画素回路Ｕの駆動トランジスタＴDRがオン状態となるように電圧ＶGSが初期化期間ＰRS1にて初期化される。したがって、第３実施形態と同様に、発光装置１００の電源の投入時に駆動トランジスタＴDRの電圧ＶGSが閾値電圧ＶTHを下回る場合でも、初期化期間の経過後の各単位期間Ｈ（すなわち各画素回路Ｕを実際に階調Ｄに応じて駆動する段階）では、駆動トランジスタＴDRを迅速かつ確実に平衡状態に遷移させることが可能となる。
【００７４】
＜Ｄ−３：第５実施形態＞
図１５は、本発明の第５実施形態に係る発光装置１００のブロック図である。図１５の発光装置１００の素子部１０内には、各走査線１２とともにＸ方向に延在するｍ本の給電線１６が形成される。また、駆動回路３０は、ｍ本の給電線１６の各々の電位を個別に制御する電位制御回路３６を含む。他の構成は図３と同様である。
【００７５】
図１６は、本形態の動作を示すタイミングチャートである。第３実施形態や第４実施形態においては発光装置１００の電源の投入の直後に初期化期間ＰRS1を設定したのに対し、本形態においては、各単位期間Ｈ[i]の直前の初期化期間ＰRS2にて第ｉ行の各画素回路Ｕにおける駆動トランジスタＴDRの電圧ＶGSを初期化する。
【００７６】
単位期間Ｈ[i]の直前の初期化期間ＰRS2においては、走査信号ＧA[i]がアクティブレベルに設定されるとともに駆動信号Ｘの電位ＶXが基準電位ＶREFに設定される。また、電位制御回路３６は第ｉ行の給電線１６に電位ＶLを供給し、階調制御回路４４は制御信号ＧT[1]〜ＧT[n]をアクティブレベルに設定する。したがって、第４実施形態と同様に、第ｉ行の各画素回路Ｕにおける駆動トランジスタＴDRの電圧ＶGSは、ゲートに供給される基準電位ＶREFとソースに供給される電位ＶLとの差分の電圧（ＶREF−ＶL）に初期化される。なお、基準電位ＶREFや電位ＶLの条件は第４実施形態と同様である。例えば、基準電位ＶREFは電位ＶXの最小値に設定される。各単位期間Ｈの動作は第１実施形態と同様である。
【００７７】
以上の形態においても第３実施形態や第４実施形態と同様の効果が実現される。さらに本形態においては、駆動トランジスタＴDRの電圧ＶGSが単位期間Ｈ毎に初期化されるから、以下に例示するように、単位期間Ｈ[i]にて設定される駆動電流ＩDRが直前の垂直走査期間の単位期間Ｈ[i]における階調Ｄの影響を受けないという利点がある。
【００７８】
いま、初期化期間ＰRS2を設定しない第１実施形態のもとで、１個の画素回路Ｕに指定される階調Ｄが最高値（白表示に対応する最高階調）から最低値（黒表示に対応する最低階調）に変化した場合を想定する。階調Ｄの最低値が指定される単位期間Ｈ[i]の階調設定期間ＰSETの時間ｔxは最短に設定される。一方、階調Ｄの最高値が指定される直前の単位期間Ｈ[i]にて駆動トランジスタＴDRの電圧ＶGS（ＶSET）は最大値に設定されるから、階調Ｄの最低値に対応した最短の時間ｔxの階調設定期間ＰSET内では、駆動トランジスタＴDRの電圧ＶGSが階調Ｄの最低値に応じた電圧まで完全に低下し切らない可能性がある。したがって、階調Ｄの最低値が指定された場合でも発光素子Ｅに駆動電流ＩDRが供給され、表示画像のコントラストが低下する場合がある。
【００７９】
本形態においては、各単位期間Ｈ[i]の開始前の初期化期間ＰRS2にて駆動トランジスタＴDRの電圧ＶGSが所定値（ＶREF−ＶL）に初期化されるから、前回の単位期間Ｈ[i]にて設定された電圧ＶGSに拘わらず（すなわち前回の階調Ｄに拘わらず）、駆動トランジスタＴDRの電圧ＶGSを今回の階調Ｄに対応した電圧ＶSETに正確に設定できるという利点がある。
【００８０】
＜Ｄ−４：第６実施形態＞
図１７は、本発明の第６実施形態における画素回路Ｕの回路図である。図１７に示すように、画素回路Ｕは、第１実施形態の画素回路Ｕに制御スイッチＴCR2を追加した構成である。制御スイッチＴCR2は、駆動トランジスタＴDRのゲートと給電線２６との間に介在して両者の電気的な接続（導通／非導通）を制御するＮチャネル型のトランジスタである。給電線２６には基準電位ＶREFが供給される。すなわち、第４実施形態や第５実施形態においては画素回路Ｕに対する基準電位ＶREFの供給に信号線１４を兼用したのに対し、本形態においては信号線１４とは別個の給電線２６を利用して各画素回路Ｕに基準電位ＶREFを供給する。
【００８１】
素子部１０内には、走査線１２とともにＸ方向に延在するｍ本の制御線２８が形成される。図１７に示すように、第ｉ行の各画素回路Ｕにおける制御スイッチＴCR2のゲートは第ｉ行の制御線２８に接続される。各制御線２８には駆動回路３０（例えば走査線駆動回路３２）から制御信号ＧB（ＧB[1]〜ＧB[m]）が供給される。
【００８２】
図１８は、画素回路Ｕを駆動する方法を説明するためのタイミングチャートである。各単位期間Ｈ[i]において駆動トランジスタＴDRの電圧ＶGSを階調Ｄに応じた電圧ＶSETに設定する動作や、単位期間Ｈ[i]の経過後に電圧ＶSETに応じた駆動電流ＩDRを発光素子Ｅに供給する動作は、第１実施形態と同様である。本形態においては、単位期間Ｈ[i]の開始前の複数の単位期間（単位期間Ｈ[i-4]〜Ｈ[i-1]）を初期化期間ＰRS2として、第ｉ行の各画素回路Ｕの駆動トランジスタＴDRの電圧ＶGSを初期化する動作を実行する。初期化期間ＰRS2は、期間Ｐ1（単位期間Ｈ[i-4]）と期間Ｐ2（単位期間Ｈ[i-3]〜Ｈ[i-1]）とに区分される。
【００８３】
制御信号ＧB[i]は、第ｉ行の初期化期間ＰRS2（単位期間Ｈ[i-4]〜Ｈ[i-1]）にてアクティブレベルに設定され、他の期間において非アクティブレベルを維持する。制御信号ＧB[i]がアクティブレベルに設定されると、第ｉ行の各画素回路Ｕにおける制御スイッチＴCR2がオン状態に変化するから、図１８に示すように、駆動トランジスタＴDRのゲートの電位ＶGは、給電線２６から制御スイッチＴCR2を経由して供給される基準電位ＶREFに設定される。
【００８４】
図１８に示すように、第ｉ行の初期化期間ＰRS2のうちの期間Ｐ1（単位期間Ｈ[i-4]）においては、第ｉ行の給電線１６に電位ＶLが供給される。したがって、第５実施形態と同様に、第ｉ行の各画素回路Ｕにおける駆動トランジスタＴDRの電圧ＶGSは、ゲートに供給される基準電位ＶREFとソースに供給される電位ＶLとの差分の電圧（ＶREF−ＶL）に初期化される。基準電位ＶREFと電位ＶLとの関係は第４実施形態や第５実施形態と同様に選定されるから、期間Ｐ1にて駆動トランジスタＴDRはオン状態に制御される。
【００８５】
期間Ｐ2（単位期間Ｈ[i-3]〜Ｈ[i-1]）が開始すると、電位制御回路３６は給電線１６に電位ＶELを供給する。期間Ｐ1にて駆動トランジスタＴDRはオン状態に遷移しているから、以上の状態のもとでは、数式(1)で表現される電流ＩDSが駆動トランジスタＴDRのドレインとソースとの間に流れて容量ＣEおよび保持容量ＣSTに電荷が充電される。したがって、図１８に示すように駆動トランジスタＴDRのソースの電位ＶSは経時的に上昇する。駆動トランジスタＴDRのゲートには期間Ｐ1から引続き基準電位ＶREFが供給されるから、駆動トランジスタＴDRの電圧ＶGSはソースの電位ＶSの上昇とともに低下する。数式(1)から理解されるように電圧ＶGSが低下して閾値電圧ＶTHに接近するほど電流ＩDSは減少する。したがって、期間Ｐ2においては、駆動トランジスタＴDRの電圧ＶGSが、期間Ｐ1における初期化後の電圧（ＶREF−ＶL）から閾値電圧ＶTHに漸近する。期間Ｐ2の時間長（単位期間Ｈの個数）は、駆動トランジスタＴDRの電圧ＶGSが期間Ｐ2の終点にて閾値電圧ＶTHに充分に接近する（理想的には合致する）ように設定される。以上においては第ｉ行の画素回路Ｕに着目したが、同様の動作が各行の画素回路Ｕについて反復される。
【００８６】
以上に説明したように、本形態においては、駆動信号Ｘの供給前（単位期間Ｈ[i]の開始前）に駆動トランジスタＴDRのゲート−ソース間の電圧ＶGSが閾値電圧ＶTHに初期化されるから、単位期間Ｈ[i]にて駆動信号Ｘが供給され始めた直後から、駆動トランジスタＴDRのソースの電位ＶSをゲートの電位ＶG（駆動信号Ｘの電位ＶX）に連動して変化させることが可能である。したがって、直前の単位期間Ｈ[i]にて設定された電圧ＶSETに拘わらず（すなわち、直前の階調Ｄに拘わらず）、駆動トランジスタＴDRの電圧ＶGSを今回の階調Ｄに対応した電圧ＶSETに正確に設定できるという利点がある。
【００８７】
なお、第６実施形態においては、駆動トランジスタＴDRのゲート−ソース間の電圧ＶGSを初期化期間ＰRS2にて閾値電圧ＶTHに設定したが、電圧ＶGSを完全に閾値電圧ＶTHに到達させる必要はない。すなわち、駆動トランジスタＴDRの電圧ＶGSを、初期化動作で設定された電圧ＶGS1から閾値電圧ＶTHに接近させる構成が好適である。
【００８８】
＜Ｅ：変形例＞
以上の各形態は様々に変形される。各形態に対する変形の具体的な態様を以下に例示する。なお、以下の例示から２以上の態様を任意に選択して組合わせてもよい。
【００８９】
（１）変形例１  
画素回路Ｕを構成する各トランジスタ（駆動トランジスタＴDR，選択スイッチＴSL，制御スイッチＴCR1，制御スイッチＴCR2）の導電型は任意である。例えば、図１９に示すように、駆動トランジスタＴDRや各スイッチ（選択スイッチＴSL，制御スイッチＴCR1）をＰチャネル型とした構成も採用される。図１９の画素回路Ｕにおいては、発光素子Ｅの陽極が給電線１８（電位ＶCT）に接続され、駆動トランジスタＴDRのドレインが給電線１６（電位ＶEL）に接続されるとともにソースが発光素子Ｅの陰極に接続される。駆動トランジスタＴDRのゲートとソースとの間に保持容量ＣSTが介在する構成や、駆動トランジスタＴDRのゲートと信号線１４との間に選択スイッチＴSLおよび制御スイッチＴCR1が直列に介在する構成は図４と同様である。以上のようにＰチャネル型の駆動トランジスタＴDRを採用した場合、Ｎチャネル型の駆動トランジスタＴDRを採用した場合と比較して電圧の関係（高低）は逆転するが、本質的な動作は以上の例示と同様であるから、具体的な動作の説明は省略する。
【００９０】
（２）変形例２  
以上の各形態においては発光素子Ｅに付随する容量ＣEを利用したが、図２０に示すように、発光素子Ｅとは別個に形成した容量ＣXを容量ＣEとともに利用する構成も好適である。容量ＣXの電極ｅ1は、駆動トランジスタＴDRと発光素子Ｅとを結ぶ経路上（駆動トランジスタＴDRのソース）に接続される。容量ＣXの電極ｅ2は、所定の電位が供給される配線（例えば、電位ＶCTが供給される給電線１８や、基準電位ＶREFが供給される図１７の給電線２６）に接続される。図２０の構成においては、容量値ｃp1が容量ＣXと発光素子Ｅの容量ＣEとの合計値となる。したがって、数式(2)や数式(3)の電流ＩDS（さらには駆動電流ＩDR）を容量ＣXに応じて適宜に調整することが可能である。
【００９１】
（３）変形例３  
以上の各形態のように、複数の画素回路Ｕが行列状に配列された構成のもとで各画素回路Ｕを行単位で時分割に駆動する場合には各画素回路Ｕ内に選択スイッチＴSLが必要である。しかし、例えば複数の画素回路ＵがＸ方向に沿って１列のみに配列された構成においては、時分割での複数行の選択という動作が不要であるから、画素回路Ｕ内の選択スイッチＴSLは不要となる。複数の画素回路Ｕが１列のみに配列された発光装置１００は、例えば、電子写真方式の画像形成装置（印刷装置）において感光体ドラムなどの像担持体を露光する露光装置として好適に採用される。また、複数の画素回路ＵがＸ方向に沿って１列のみに配列された構成においては、制御スイッチＴCR1を信号線駆動回路３４（階調制御回路４４）内に配置してもよい。すなわち、駆動トランジスタＴDRのゲートに対する駆動信号Ｘの供給の可否が制御される構成であれば、制御スイッチＴCR1が画素回路Ｕ内に配置されているか否かは本発明において不問である。
【００９２】
（４）変形例４  
駆動トランジスタＴDRのゲート−ソース間の電圧ＶGSを初期化する時期や契機は任意に変更される。例えば、複数の垂直走査期間を単位として１回の初期化が実行される構成や、発光装置１００に対する利用者からの指示を契機として初期化を実行する構成も採用される。また、各画素回路Ｕを駆動する期間内（例えば単位期間Ｈ毎に）に電圧ＶGSを随時に初期化することで直前の階調Ｄの影響を除去する第５実施形態や第６実施形態は、階調Ｄが経時的に変化する場合（すなわち動画像を表示する場合）に格別に好適である。したがって、動画像を表示する場合には画素回路Ｕの駆動中（初期化期間ＰRS2）にて電圧ＶGSを随時に初期化し、静止画像を表示する場合には発光装置１００の電源が投入された直後のみに電圧ＶGSを初期化するといった構成も採用される。
【００９３】
（５）変形例５  
以上の各形態においては、画素回路Ｕの列単位で個別に形成されたｎ本の信号線１４に共通の駆動信号Ｘを供給したが、信号線１４の本数は適宜に変更される。例えば、複数列の各画素回路Ｕに対する駆動信号Ｘの供給に１本の信号線１４を利用する構成（すなわち、所定数の列単位で信号線１４が形成された構成）も採用される。また、以上の形態においては１個の信号生成回路４２が生成した駆動信号Ｘを総ての信号線１４に供給したが、１個の信号生成回路４２の出力の負荷を軽減するという観点からすると、所定数（単数または複数）の信号線１４毎に信号生成回路４２を配置して駆動信号Ｘを個別に生成する構成も好適である。
【００９４】
なお、例えば発光素子Ｅの容量ＣEの容量値ｃp1や発光素子Ｅの発光効率が列単位で相違する場合や、発光素子Ｅによる表示色（赤色，緑色，青色）が列単位で相違する場合には、各画素回路Ｕにて所期の駆動電流ＩDRを生成するために必要となる時間変化率ＲXが列単位で相違する可能性がある。したがって、電位ＶXの経時的な変化（波形）が相違する複数の駆動信号Ｘを各信号線１４に個別に供給する構成も採用される。
【００９５】
各信号線１４に共通の駆動信号Ｘが供給される構成（例えば第１実施形態）では、制御信号ＧT[j]のパルス幅（階調設定期間ＰSETの時間ｔx）を列毎に個別に調整することで各画素回路Ｕにおける駆動電流ＩDRを列単位で調整する必要がある。したがって、制御信号ＧT[j]のパルス幅の種類数を多く確保する必要がある。一方、駆動信号Ｘが列毎に個別に供給される構成においては、制御信号ＧT[j]のパルス幅の刻み幅を全列で共通させた場合でも、各画素回路Ｕにおける駆動電流ＩDRが列単位で調整されるから、制御信号ＧT[j]に必要となるパルス幅の種類数を削減する（すなわちパルス幅の刻み幅を荒くする）ことが可能である。したがって、階調制御回路４４の構成や動作が簡素化されるとともに、制御信号ＧT[j]の波形歪の影響が低減されるという利点がある。なお、信号線１４毎に個別の駆動信号Ｘを供給する構成としては、例えば、電位ＶXの経時的な変化が相違する複数種の駆動信号Ｘのうちの何れかを選択して各信号線１４に出力する構成が好適である。
【００９６】
（６）変形例６  
有機ＥＬ素子は発光素子の例示に過ぎない。例えば、無機ＥＬ素子やＬＥＤ（Light Emitting Diode）素子などの発光素子を配列した発光装置にも以上の各態様と同様に本発明が適用される。本発明における発光素子は、電流の供給で駆動される（典型的には階調（輝度）が制御される）電流駆動型の被駆動素子である。
【００９７】
＜Ｆ：応用例＞
次に、以上の各態様に係る発光装置１００を利用した電子機器について説明する。図２１ないし図２３には、発光装置１００を表示装置として採用した電子機器の形態が図示されている。
【００９８】
図２１は、発光装置１００を採用したモバイル型のパーソナルコンピュータの構成を示す斜視図である。パーソナルコンピュータ２０００は、各種の画像を表示する発光装置１００と、電源スイッチ２００１やキーボード２００２が設置された本体部２０１０とを具備する。発光装置１００は有機ＥＬ素子を発光素子Ｅとして使用しているので、視野角が広く見易い画面を表示できる。
【００９９】
図２２は、発光装置１００を適用した携帯電話機の構成を示す斜視図である。携帯電話機３０００は、複数の操作ボタン３００１およびスクロールボタン３００２と、各種の画像を表示する発光装置１００とを備える。スクロールボタン３００２を操作することによって、発光装置１００に表示される画面がスクロールされる。
【０１００】
図２３は、発光装置１００を適用した携帯情報端末（ＰＤＡ：Personal Digital Assistants）の構成を示す斜視図である。情報携帯端末４０００は、複数の操作ボタン４００１および電源スイッチ４００２と、各種の画像を表示する発光装置１００とを備える。電源スイッチ４００２を操作すると、住所録やスケジュール帳といった様々な情報が発光装置１００に表示される。
【０１０１】
なお、本発明に係る発光装置１００が適用される電子機器としては、図２１から図２３に例示した機器のほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。また、本発明に係る発光装置１００の用途は画像の表示に限定されない。例えば、電子写真方式の画像形成装置において露光により感光体ドラムに潜像を形成する露光装置としても本発明の発光装置１００は利用される。
【図面の簡単な説明】
【０１０２】
【図１】画素回路の駆動の原理を説明するための回路図である。
【図２】画素回路の駆動の原理を説明するためのグラフである。
【図３】本発明の第１実施形態に係る発光装置のブロック図である。
【図４】画素回路の回路図である。
【図５】発光装置の動作を示すタイミングチャートである。
【図６】階調設定期間の時間と階調との関係を説明するための概念図である。
【図７】制御信号の電圧の勾配が大きい場合に平衡状態に達する時間を示すグラフである。
【図８】制御信号の電圧の勾配が小さい場合に平衡状態に達する時間を示すグラフである。
【図９】制御信号の波形を定義式の次数毎に示すグラフである。
【図１０】駆動電流の誤差を制御信号の定義式の次数毎に示すグラフである。
【図１１】信号線駆動回路のブロック図である。
【図１２】本発明の第２実施形態における階調設定期間の時間と階調との関係を説明するための概念図である。
【図１３】本発明の第３実施形態における初期化期間内の動作のタイミングチャートである。
【図１４】本発明の第４実施形態における初期化期間内の動作のタイミングチャートである。
【図１５】本発明の第５実施形態に係る発光装置のブロック図である。
【図１６】発光装置の動作を示すタイミングチャートである。
【図１７】本発明の第６実施形態における画素回路の回路図である。
【図１８】発光装置の動作を示すタイミングチャートである。
【図１９】変形例に係る画素回路の回路図である。
【図２０】変形例に係る画素回路の部分的な回路図である。
【図２１】電子機器（パーソナルコンピュータ）の斜視図である。
【図２２】電子機器（携帯電話機）の斜視図である。
【図２３】電子機器（携帯情報端末）の斜視図である。
【符号の説明】
【０１０３】
１００……発光装置、１０……素子部、１２……走査線、１４……信号線、１６，１８，２６……給電線、２４，２８……制御線、３０……駆動回路、３２……走査線駆動回路、３４……信号線駆動回路、３６……電位制御回路、Ｕ……画素回路、Ｅ……発光素子、ＴDR……駆動トランジスタ、ＴSL……選択スイッチ、ＴCR1，ＴCR2……制御スイッチ、Ｅ……発光素子Ｅ、Ｈ（Ｈ[i]）……単位期間、Ｘ……駆動信号、ＧT（ＧT[j]）……制御信号。
【図１】
2010079157.tif 000003
【図２】
2010079157.tif 000004
【図３】
2010079157.tif 000005
【図４】
2010079157.tif 000006
【図５】
2010079157.tif 000007
【図６】
2010079157.tif 000008
【図７】
2010079157.tif 000009
【図８】
2010079157.tif 000010
【図９】
2010079157.tif 000011
【図１０】
2010079157.tif 000012
【図１１】
2010079157.tif 000013
【図１２】
2010079157.tif 000014
【図１３】
2010079157.tif 000015
【図１４】
2010079157.tif 000016
【図１５】
2010079157.tif 000017
【図１６】
2010079157.tif 000018
【図１７】
2010079157.tif 000019
【図１８】
2010079157.tif 000020
【図１９】
2010079157.tif 000021
【図２０】
2010079157.tif 000022
【図２１】
2010079157.tif 000023
【図２２】
2010079157.tif 000024
【図２３】
2010079157.tif 000025